Podtech/llm-jp-corpus-v4-ja_patent huggingface dataset:
(57)【要約】      （修正有）【課題】低照度の室内においても良好な生育状態で長期間にわたって観賞可能な苔玉を提供する。【解決手段】低照度かつ培地水分量が高い環境での生育に適したウワバミソウ１またはヤマトキホコリのうち１種あるいは両種を苔玉２とを組み合わせて植え付ける。光量が少ない室内であっても長期間に渡って良好な生育状態での観賞が可能となる。【選択図】図１
0003190856.tif 000002
【実用新案登録請求の範囲】
【請求項１】
低照度かつ培地水分量が多い環境での生育に適した植物と苔玉部分を組み合わせることにより室内において良好な状態で長期間の観賞を可能とした苔玉。
【請求項２】
植物としてウワバミソウおよびヤマトキホコリのうち１種あるいは２種を植え付けたことを特徴とする請求項１記載の苔玉。
【考案の詳細な説明】
【技術分野】
【０００１】  本考案は、苔玉に関する分野で、特に室内など低照度条件下での管理に適した植物を組み合わせて植え付けることにより、低照度条件であっても長期間にわたって生育が良好な状態で観賞が可能な苔玉に関するものである。
【背景技術】
【０００２】  苔玉は、球状などに成形した培地の周囲にコケを貼り付けるなどし、植物などを植え付けて観賞するものである。コケの生育には、湿度が高く照度が低い環境が適していることから、苔玉を適切に管理するためには光と水の管理が重要である。しかし、低照度かつ培地部分の水分含量が高い条件での生育に適した植物は少ないことから、室内における長期の管理に適した植物の選定が難しい。
【先行技術文献】
【０００３】
【特許文献１】  特開２００５−３２３５２０１３
【考案の概要】
【考案が解決しようとする課題】
【０００４】  苔玉は、一般的には特許文献１にあるように中心部に土壌などの培地、周囲にミズゴケやハイゴケなどを貼り付け、中心部へ植物を植え付けることで構成されている。コケ類の生育には培地部分の水分が多い環境が適している。しかし、多くの植物は培地の水分が多いと根腐れなどを起こし、生育の停滞や枯死を招く。【０００５】  また、苔玉は室内へ設置されることが多いが、室内は屋外と比較して光量が少なく照度が低いことから、コケの生育には適しているため問題ないが、一方で植物にとっては生育に好ましくない環境となる場合が多い。従って、培地の水分含量および照度の関係から、植え付けられた植物が良好な生育状態での観賞期間は短くなりやすい。【０００６】  そこで本考案は、これまで苔玉に植え付けられていた植物と比較して、低照度かつ培地水分量が多い環境での生育に適した植物を苔玉と組み合わせて植え付けることで、室内において長期間にわたって植物が生育可能であり、観賞期間の長い苔玉を製作することが目的である。
【考案の効果】
【０００７】  本考案の苔玉は、コケを貼り付けた苔玉本体である培地部分と植え付け植物としてウワバミソウまたはヤマトキホコリを組み合わせることで、低照度かつ培地水分量が多い環境でも長期間の生育が可能となる。
【図面の簡単な説明】
【０００８】
【図１】  図１は本考案を実施したときの苔玉を表す図である。
【考案を実施するための形態】
【０００９】  中心部に土壌、表面をミズゴケやハイゴケなどのコケ類で覆い、糸などで固定することで球状に成形した培地部分を作成する。
【００１０】  培地部分にウワバミソウまたはヤマトキホコリのうちから選ばれる１種あるいは２種とも植え付ける。
【００１１】  本考案の苔玉に使用するコケはミズコケおよびハイゴケ以外のコケでも良く、何ら種類が制限されるものではない。また、培地部分にあたる苔玉の形状は球状に限定されるものではない。
【実施例１】
【００１２】  中心部が空洞になるようにミズゴケを球状にまとめ、型くずれしないように糸で固定し、空洞部分にピートモス・バーミキュライト混合用土を充填する。【００１３】  混合用土の部分にウワバミソウの珠芽あるいは地下茎を植え込み、これらが埋まる程度に覆土する。【００１４】  ハイゴケなどのコケ類をミズゴケの表面に貼り付け、糸で固定して球状に成形する。
【実施例２】
【００１５】  ケト土の中にヤマトキホコリの地下茎を埋め込み、球状に成形し、その表面にハイゴケなどのコケ類を貼り付け、糸で球状に成形する。
【符号の説明】
【００１６】  １  ウワバミソウ
２  苔（苔玉培地部分）
３  成形用糸
【図１】
0003190856.tif 000003
【手続補正書】
【提出日】平成26年3月10日(2014.3.10)
【手続補正１】
【補正対象書類名】実用新案登録請求の範囲
【補正対象項目名】全文
【補正方法】変更
【補正の内容】
【実用新案登録請求の範囲】
【請求項１】
低照度かつ培地水分量が多い環境での生育に適した植物であるウワバミソウおよびヤマトキホコリのうち１種あるいは２種と苔玉部分を組み合わせることにより室内において良好な状態で長期間の観賞を可能とした苔玉。
(57)【要約】      （修正有）【課題】ポリエチレン製の袋に直接、ごみを掃き入れることができるちりとりを提供する【解決手段】ポリエチレン製の袋の開口部に取り付けるちりとりであって、略三角形状の一辺にちりとり部分１を設け、残りの二辺に袋口を広げる部分２，３を設けたちりとり。【選択図】図１
0003190853.tif 000002
【実用新案登録請求の範囲】
【請求項１】
ポリエチレン製の袋に取り付けるちりとり
【考案の詳細な説明】
【考案の詳細な説明】
この考案は，ポリエチレン製の袋に直接，ごみを掃き入れることができるようにしたものである。
従来は，落ち葉やごみを掃き寄せ，ちりとりで取り，袋に入れる作業をする。
本案は，その手間を省くために考案されたものであり，ちりとりにポリエチレン製の袋をつける。
このようにすることで，子どもから大人（障がい者・妊婦・高齢者の方々）まで誰でも使いやすく，環境整備・美化活動に貢献できるものである。
【図面の簡単な説明】
【図１】  本案の正面図
【図２】  本案の斜視図
【符号の説明】  １．ちりとり部分      ２．袋口を広げる部分
３．２の反対側        ４．取っ手（手で持つ）部分
【図１】
0003190853.tif 000003
【図２】
0003190853.tif 000004
【手続補正書】
【提出日】平成26年3月10日(2014.3.10)
【手続補正１】
【補正対象書類名】実用新案登録請求の範囲
【補正対象項目名】全文
【補正方法】変更
【補正の内容】
【実用新案登録請求の範囲】
【請求項１】
ポリエチレン製の袋の開口部に取り付けるちりとりあって、略三角形状の一辺にちりとり部分（１）を設け、残りの二辺に袋口を広げる部分（２，３）を設けたちりとり。
(57)【要約】      （修正有）【課題】簡単な形態で指を密着させて安全安定な保持と早く大きな操作を可能とし、平面平易で豊かなデザイン嗜好性のあるユーザーに受け入れやすい携帯電子機器の保持用具を提供する。【解決手段】携帯電子機器１の背面に容易に貼付する事が出来る接着可能なステッカー又はワッペンの形態を持つシール２を本体とし、そのシールの一部一点において装設した結接部４に繋止したストラップ３に指を挿通するための輪環部５を連接してなる構成とし、その輪環部に指を挿通して機器を持つ時は指一本で機器が密着保持され落下のストレス無くタッチの操作も自由で大きな早い操作を可能とする。【選択図】図１
0003190859.tif 000002
【実用新案登録請求の範囲】
【請求項１】
携帯電子機器の背面に貼付する為の接着剤を塗着または粘着面加工したステッカー又はワッペンの形態を持つシールを本体とし、そのシールの一部一点において装設された結接部によってストラップを繋止し、そのストラップに指を挿通する為の輪環部を連接したる携帯電子機器保持の為のストラップ付シール。
【請求項２】
上記請求項１におけるシールの一部一点において結接部に繋止されたストラップの一部に指を掛け止めるためのストッパーを結接したる請求項１記載の携帯電子機器保持の為のストラップ付シール。
【考案の詳細な説明】
【技術分野】
【０００１】本考案は携帯電子機器を操作する際に保持容易で且つ落下を防止し安全安定した操作を可能とする携帯電子機器の保持用具に関する。
【背景技術】
【０００２】  近来スマートホンやタブレットやゲーム機に見られる様に携帯電子機器は大画面大型化しフラットで手に掛かる部分無く機器を握る事と操作する事は相反作用となり通常手の平に乗せているだけの不安定で落下のストレスを感じながら操作しているのが現状である。
【考案の概要】
【考案が解決しようとする課題】
【０００３】  携帯電子機器を操作する際に機器を深く握る事無く指を掛けるだけで保持され自由で大きな操作の出来る事と、平面平易な構造とする事を課題とする。
【課題を解決するための手段】
【０００４】  上記課題を解決するために請求項１においては携帯電子機器の背面に容易に貼付する事を可能とするために裏面に接着剤を塗着するか粘着面加工したステッカーやワッペンの形態をもつシールを本体とし、その一部一点において装設された結接部によってストラップを繋止し、そのストラップに指を挿通する為の輪環部を連接し、その輪環部に指を挿通する事で機器を密着保持する如く構成する。【０００５】  請求項２においては、上記請求項１におけるシールの結接部に繋止されたストラップの一部に指を掛け止めるストッパーを結接し、そのストラップを挟持する事で機器を密着保持する如く構成する。
【考案の効果】
【０００６】  本考案になる請求項１においては、その構成はシールを機器の背面に貼布するだけで完結され、フラットで複雑な構造なく指一本で機器を密着保持できる事は常に機器を握って落下のストレスを感じている事から開放され自由で大きな操作を可能とする。【０００７】  請求項２においてはフラットで単純な構造は上記同様な効果を有すると共に、ストッパーを結接したストラップを挟持する単純な動作で機器を密着保持できる事は前記同様の効果を得る。【０００８】  本考案におけるシールはステッカーやワッペンの形態を持ち自由な印刷・デザイン・加飾が容易で、ストラップもアクセサリーとして装飾自由で両者共に広く愛用されて違和感無く受け入れやすい流通性の高い商品である事は重要な効果である。
【図面の簡単な説明】
【０００９】
【図１】請求項１における平面図及び側面図
【図２】請求項２における実施例３の平面図及び側面図
【図３】ストラップ繋止の為の結接部の一例構造断面図
【図４】請求項１における使用実態斜視図
【考案を実施する為の形態】
【００１０】  携帯電子機器の背面に容易に貼布可能なステッカーやワッペンの形態をもつシールとその一部一点において繋止されたストラップを組み合わせてなる携帯電子機器保持のためのストラップ付シールであって以下実施例を図によって説明する。
【実施例１】
【００１１】  請求項１においては紙・合成樹脂・ゴム・皮革等の材質に印刷加飾デザインされ、裏面に接着剤を塗着するか又は粘着面加工したステッカー又はワッペンの形態を持つシール２を本体として，その一部一点においてストラップ３を繋止する為の結接部４を図３の一例の如く装着し、その結接部４に繋止されたストラップ３には指を挿通する為の輪環部５を連接する、その輪環部５は一例として連珠によるストラップのリング形態が適切と考えられる。
【実施例２】
【００１２】  上記請求項１記載のステッカー又はワッペンの形態を持つシール２の一部一点において結接部４によって繋止されたストラップ３の一部において一例として指を掛け止める大きさの珠玉をストッパー６として貫着する事が適切と考えられる。
【実施例３】
【００１３】  前記請求項２におけるストッパー６を貫着したストラップ３を延長してその先端を携帯電子機器１のストラップ孔７または携帯電子機器１に冠着されたカバーのストラップ孔に繋止し機器とストラップ３の間に指を挿通し、機器を密着保持する事も実施例として考えられる。
【符号の説明】
【００１４】１  携帯電子機器
２    シール
３  ストラップ
４  ストラップを繋止する為の結接部
５  輪環部
６  ストッパー
７  携帯電子機器のストラップ孔
【図１】
0003190859.tif 000003
【図２】
0003190859.tif 000004
【図３】
0003190859.tif 000005
【図４】
0003190859.tif 000006
【手続補正書】
【提出日】平成26年3月10日(2014.3.10)
【手続補正１】
【補正対象書類名】実用新案登録請求の範囲
【補正対象項目名】請求項２
【補正方法】変更
【補正の内容】
【請求項２】
上記請求項１記載のシールの一部一点において装設された結接部に繋止されたストラップの一部に指を掛け止めるためのストッパーを結接した携帯電子機器保持の為のストラップ付シール。
(57)【要約】      （修正有）【課題】自分だけの人形であるという「占有感」を強め、流用・兼用を防止する事が出来る節句人形を提供する。【解決手段】人形の芯材や胴体Ｃに、直接お子様など使用者の名前や願い事Ａを書き入れた後、衣装を着せ付ける。人形の芯材や胴体Ｃに、お子様など使用者の名前や願い事Ａを書き入れたシールを添付し、衣装を着せ付ける。【選択図】図１
0003190809.tif 000002
【実用新案登録請求の範囲】
【請求項１】
人形の芯材や胴体等の本体部分に、直接お子様など使用者の名前など書き入れた後、衣装を着せ付けた節句人形。
【請求項２】
人形の芯材や胴体等の本体部分に、お子様など使用者の名前など書き入れた紙片を添付し、衣装を着せ付けた節句人形。
【請求項３】
人形の芯材や胴体等の本体部分に、直接お子様など使用者の名前など「為書き」した後、衣装を着せ付けた節句人形。
【請求項４】
人形の芯材や胴体等の本体部分に、お子様など使用者の名前などを「為書き」した紙片を添付し、衣装を着せ付けた節句人形。
【請求項５】
人形の芯材や胴体等の本体部分に、直接贈り主の名前など「贈○○」などと書き入れた後、衣装を着せ付けた節句人形。
【請求項６】
人形の芯材や胴体等の本体部分に、贈り主の名前など「贈○○」などと書いた紙片を添付し、衣装を着せ付けてなる節句人形。
【請求項７】
人形の芯材や胴体等の本体部分に、直接贈り主の願い事などを書き入れた後、衣装を着せ付けてなる節句人形。
【請求項８】
人形の芯材や胴体等の本体部分に、贈り主の願い事などを書いた紙片を添付し、衣装を着せ付けてなる節句人形。
【考案の詳細な説明】
【技術分野】
【０００１】
本考案は、容易に交換や取り外しの出来ない人形自体の芯材や胴体等の本体部分に、使用者の名前や贈り主の願い事などを書き込んで製作した人形に関する物である。
【背景技術】
【０００２】
雛人形や五月人形などの節句人形は子供の誕生を契機として、販売している物の中より選んで購入するのであるが、この際販売店のサービスとして、立て札などの付属品や衣装の一部に名前を書き入れる事が有る。
【先行技術文献】
【非特許文献】
【０００３】
先行技術として「実用新案登録第３１２５１２８号」が有るが、該当案件はケース入り商品の外部から見える位置に設置した、交換可能な立て札状の部品に関した考案であり、本件の人形自体の芯材や胴体等の本体部分に書き込むのとは別物である。
【考案の概要】
【考案が解決しようとする課題】
【０００４】
雛人形や五月人形など節句人形に、付加価値を高める販売店のサービスとして、立て札などの付属品や衣装の一部に名前を書き入れる事が有るが、これらは後発的に付属させた付加価値であり、容易に交換や取り外しが行える。
この為、親の人形を流用したり、兄弟姉妹の人形を兼用する事例が増加している。
【課題を解決するための手段】
【０００５】
容易に交換や取り外しの出来ない人形の芯材や胴体等の本体部分に名前や願い事を書き込んだ物を用いて人形を製作する。
【考案の効果】
【０００６】
直接目には触れないが、人形の心材や胴体の本体等に名前や願い事を書き込む事に拠って、自らの為だけに製作された人形であるという「占有感」「所有感」で、親の人形の流用や兄弟姉妹での兼用を防止し、「一人一飾り」を実現する事が出来る。
【考案を実施するための形態】
【０００７】
子・孫の名前や贈り主としての願い事などを、後発的に容易に交換や取り外しの出来ない人形の芯材や胴体等の部分へ直接書き込んだり、予めシール状の物に書き込み添付した物を使用して人形を製造する。
【図面の簡単な説明】
【０００８】
【図１】人形の芯材あるいは胴体の模式図
【符号の説明】
【０００９】
Ａ．記入された名前や願い事
Ｂ．シール等に記載し添付するも可
Ｃ．人形の芯材あるいは胴体
【図１】
0003190809.tif 000003
(57)【要約】【課題】泡立ちと泡持ちがよく使用後の乾燥が早い食器洗い泡立てスポンジを提供する。【解決手段】食器洗い泡立てスポンジ１は、ナイロン不織布層２と、ソフトウレタンフォーム層３と、無膜ウレタンフォーム層４と、高密度・高弾性ウレタンフォーム層５とを順次重ねて構成される。高密度・高弾性ウレタンフォーム層５には表層部から内部まで複数の切り込み６が形成されている。切り込み６は、断面が十字形状又はＸ字形状をなし、上記表層部において一定の規則性をもって配列されている。【選択図】図２
0003190819.tif 000002
【実用新案登録請求の範囲】
【請求項１】
ナイロン不織布層と、ソフトウレタンフォーム層と、無膜ウレタンフォーム層と、高密度・高弾性ウレタンフォーム層と、を順次重ねて構成され、前記高密度・高弾性ウレタンフォーム層には表層部から内部まで複数の切り込みが形成されている、
ことを特徴とする食器洗い泡立てスポンジ。
【請求項２】
前記切り込みは、断面が十字形状又はＸ字形状をなし、前記表層部において一定の規則性をもって配列されている、
ことを特徴とする請求項１記載の食器洗い泡立てスポンジ。
【考案の詳細な説明】
【技術分野】
【０００１】
本考案は、食器洗い泡立てスポンジに関わり、特に泡立ちと泡持ちがよく使用後の乾燥が早い食器洗い泡立てスポンジに関する。
【背景技術】
【０００２】
従来、わら・棕梠等の毛などを束ねて造り、食器等をこすり洗いするたわしが良く使用されていた。しかし近年、わら・棕梠等の入手が、手数が掛かり過ぎて困難となることにともない、樹脂スポンジ式のたわしが普及している。
【０００３】
そのような樹脂スポンジ式のたわしの例としては、三角コーナー、容器底の四隅、食器等のコーナー箇所に付着した、根強く細かい汚れを完全に落とすことが可能なスポンジたわしとして、厚みのあるスポンジの四隅を切欠し、各切欠面に刷毛を固着させたスポンジたわしが提案されている。（例えば、特許文献１参照。）
【先行技術文献】
【特許文献】
【０００４】
【特許文献１】特開２００２−１２５９０７号公報
【考案の概要】
【考案が解決しようとする課題】
【０００５】
しかしながら、特許文献１に記載のスポンジたわしは、三角コーナー、容器底の四隅、食器等のコーナー箇所に付着した、根強く細かい汚れを完全に落とすという目的は達成しているものの、汚れ洗いに不可欠な泡立ち泡持ちの点については何ら考慮されていない。
【０００６】
本考案は、上記従来の課題を解決するものであって、泡立ちと泡持ちがよく使用後の乾燥が早い食器洗い泡立てスポンジ提供することを目的とする。
【課題を解決するための手段】
【０００７】
上記課題を解決するために、本考案の食器洗い泡立てスポンジは、ナイロン不織布層と、ソフトウレタンフォーム層と、無膜ウレタンフォーム層と、高密度・高弾性ウレタンフォーム層と、を順次重ねて構成され、上記高密度・高弾性ウレタンフォーム層には表層部から内部まで複数の切り込みが形成されている、ように構成される。
【０００８】
この食器洗い泡立てスポンジにおいて、上記切り込みは、断面が十字形状又はＸ字形状をなし、上記表層部において一定の規則性をもって配列されている、ように構成される。
【考案の効果】
【０００９】
本考案は、泡立ちと泡持ちがよく使用後の乾燥が早い食器洗い泡立てスポンジを提供することができる。
【図面の簡単な説明】
【００１０】
【図１】(a)は本考案に係る食器洗い泡立てスポンジの外観斜視図、(b)はそのＡ−Ａ´矢視断面図である。
【図２】(a)は図１(a)の食器洗い泡立てスポンジを上下反対にした外観斜視図、(b)はその丸ａで囲んで示す部分の拡大図である。
【考案を実施するための形態】
【００１１】
以下、本考案の実施の形態について、図面を参照しながら詳細に説明する。
【００１２】
図１(a)は、本考案に係る食器洗い泡立てスポンジの外観斜視図であり、図１(b)はそのＡ−Ａ´矢視断面図である。
【００１３】
図１(a),(b)に示すように、食器洗い泡立てスポンジ１は、ナイロン不織布層２と、ソフトウレタンフォーム層３と、無膜ウレタンフォーム層４と、高密度・高弾性ウレタンフォーム層５とを順次重ねて構成されている。
【００１４】
図２(a)は、図１(a)の食器洗い泡立てスポンジ１を上下反対にして示す外観斜視図であり、図２(b)は図２(a)の丸ａで囲んで示す部分の拡大図である。図２(b)に示すように、高密度・高弾性ウレタンフォーム層５には、表層部から内部まで複数の切り込み６が形成されている。
【００１５】
この切り込みは、図２(b)では断面がＸ字型であるが、これに限ることなく、切り込みは、十字形に入れてもよく、また、例えば鉤形に入れてもよい。要は、内部に空気を取り込みやすいように切り込みが入っていればよい。
【００１６】
ナイロン不織布層２は、比較的柔らかい不織布で構成される。これにより近年の高機能フライパン等の洗いにも傷をつけることなく洗浄でき、それでいて頑固なこびりつきも、こすり落とすことができる。
【００１７】
高密度・高弾性ウレタンフォーム層５は、切り込みにより、より多くの空気を取り込んで、豊かな泡立ちを長続きさせることができる。また、高密度ウレタンで構成されているため、切り込みによる耐久性の低下を抑止することができる。
【００１８】
無膜ウレタンフォーム層４は、比較的目の粗いウレタン層で構成される。これにより、空気の通り道が良くなり、泡立ちを助長するとともに、洗い終わって、水すすぎし、絞った後の乾燥では、一晩の放置で、洗う前の状態に戻る。
【００１９】
ソフトウレタンフォーム層３は、無膜ウレタンフォーム層４と高密度・高弾性ウレタンフォーム層５で発生する泡を保持するための層である。高密度・高弾性ウレタンフォーム層５に洗剤水溶液５０ｍｌを滴下して浸み込ませ、直ちに圧縮を１００回繰り返し、水道水５０ｍｌによる洗浄を行った。
【００２０】
この工程を連続して４回実施した後もソフトウレタンフォーム層３は、洗剤成分を比較的濃い状態で保持し、連続して洗う次の食器に新たな洗剤成分を供給し、全体として弾力性のある泡立ちを維持するように機能した。
【産業上の利用可能性】
【００２１】
本考案は、泡立ちと泡持ちがよく使用後の乾燥が早い食器洗い泡立てスポンジに利用することができる。
【符号の説明】
【００２２】
１  食器洗い泡立てスポンジ
２  ナイロン不織布層
３  ソフトウレタンフォーム層
４  無膜ウレタンフォーム層
５  高密度・高弾性ウレタンフォーム層
【図２】
0003190819.tif 000003
【図１】
0003190819.tif 000004
(57)【要約】      （修正有）【課題】浴用の長形状タオルにおいて、このタオル１本で身体の前後左右を洗う場合に生じる、頻繁な持ち替えに対して使いやすいように形成した浴用タオルを提供する。【解決手段】長形状タオルにおいて、袋部２を形成し、また、袋部２上面に、指で挟持する突起状の把持部３、及び手首を押さえるためのゴムひも４を設けた。その袋部２の中に伸長されたタオル１を挿入して袋状とし、その袋部２上面に設けた把持部３を指で挟んで使用する。さらに、ゴムひも４にも手を差し込んで手首を押さえ、手とタオルを密着させてもよい。また、左右それぞれ手に持って、両手用として洗うことも可能であり、背中を洗う場合は袋部に挿入されたタオル１を引き出して原状に戻せばよい。【選択図】図１
0003190894.tif 000002
【実用新案登録請求の範囲】
【請求項１】
長形状タオル地の一方端を一体的に折り返して開口状の袋部を形成し、その袋部上面
0003190894.tif 000005
るためのゴムひも等の伸縮性を持った挿入部を、袋部開口部側面端に設けてなる浴用タオル。
【考案の詳細な説明】
【技術分野】
【０００１】    本考案は従来の使用上の不都合を解消し、使いやすいように形成した、浴用タオルに関するものである。
【背景技術】
【０００２】    従来使用目的の異なる生地を複数枚重ねて、長形状タオルに形成し、その長形状タオルの一端方に縫製された袋部に、その長形状タオルの一端方の袋部の開口部を広げ、伸長したタオル地を巻き込みながら裏返しにして、袋部に収めて束ねて使用されるものであった。【０００３】    これらはその袋部の開口部より袋内に手を差し込み、その手を内包した状態で、設けてあった親指ホールから親指を外に出して、袋部を固定しながら使用するというもので、手を内包してしまえば，手に対する圧迫感や夏期における蒸れなど、使用者によっては抵抗を感じていた。
【考案の概要】
【考案が解決しようとする課題】
【０００４】    従来の長形状タオルは概ね、幅を３３ｃｍ前後長さを９０ｃｍ前後とした様々のタオル生地を用いて、それぞれ重ねた状態として束ねて使用するものであるが、その際、概ね手のひら大まで折り重ねて束状とする必要があり、そのため使用中にあたって、身体の右側左側とあらゆる方向での身体を洗うため、頻繁に持ち替える必要があり、そのため束ねたタオルも崩れやすくなり，束ね直す頻度も高く煩わしさがあった。
【課題を解決するための手段】
【０００５】      本考案に係る浴用タオルは、長形状タオルの一端方に開口状の袋部を形成し、この
0003190894.tif 000003
性をもった挿入部を開口部側面端に設けたものである。
【考案の効果】
【０００６】      従来の長形状タオルは、概ね、幅を３３ｃｍ前後また長さを９０ｃｍ前後とした長形状のタオルが主に使用されているが、この長形状のタオルは使用に際して、概ね手のひら大まで折り重ね束状にする必要があり、折り重ね束状にしただけで使用する従来の長形状のタオルは、使用中において束が崩れやすく束ね直す頻度も高かったが、長形状のタオル幅、及び袋部を概ね手のひら大に形成して、その袋状とした袋の中に、折り重さねた長形状タオル１を折りたたんで内包することで、その束ね直すという手間がなく、使用中においての不都合が解決できる。【０００７】      また、この袋部を設けて長形状タオルを折り重ねて差し込み、袋部上面に突起状把持部３を指で挟持することによって袋状となった長形状タオルと手が安定されまた、左右それぞれ両手に持ち、両手用浴用タオルとしても安定した使用が可能であり、これにより身体の側面に対し洗いやすい方の手でそのまま持ち替えることなく、効率的に洗うことができる。【０００８】      また、高齢者や障害を持つ人の中で、さらなる安定または密着を必要とする人のために、手を差し込んで手首を押さえるためのゴムひも等の伸縮性を持った挿入部を設けることによって、突起状把持部との相乗効果により、袋に内包された長形状タオルと手を密着することができる。【０００９】      また、突起状把持部等を設けた面が下面になるように長形状タオルを裏返しにして、その長形状タオル側の一端方より渦巻き状に折りたためば、突起状把持部等が束状となった長形状タオルの表面となり、突起状把持部等の使用は可能であるため、長形状タオル１を袋部２に挿入しなくても使用は可能である。
【図面の簡単な説明】
【００１０】
【図１】本考案に係る長形状タオルの上面図である。
【図２】図１の断面図である。
【図３】長形状タオルを内包した状態の断面図である。
【考案を実施するための最良の形態】
【００１１】      本考案係る浴用タオルは、図１に示すように、長形状タオル１の一端方に開口状の
0003190894.tif 000004
た、ゴムひも等の伸縮状をもった、輪状の挿入部４とからなるものである。【００１２】      使用に際しては、長形状タオル１を幾重かに折り返して重ね合わせて、袋部２の中に折り畳んだ状態で収めて身体を洗うもので、長形状タオル１を袋部２に折りたたまれた状態で握って洗うものであるが、さらに利便性を高め、袋部２の上面に設けた突起状の把持具３を直接指で挟みながら、袋部２に内包した状態で長形状タオルを握れば、手と長形状タオルが安定される。また、袋部２の開口部５側面端に設けられたゴムひも等の挿入部４に手を挿入して、手首を押さえる状態として突起状把持部３を指で挟めば、手と長形状タオルをさらに密着することができる。【００１３】      長形状タオル１は、幅は袋状となした部分より伸長したタオル部分端までを通じて同幅とし、概ね人の手のひら大になる程度とし、長さは適宜とする。【００１４】      袋部２は、長形状タオル１の一端方を一体的に折り返しとしても、別生地で縫製等の手段で取り付けてもよい。【００１５】      また、袋部２の上面に設ける突起状把持部３は、その先端より指が抜けないように、その把持部先端部分に廂状などの指の引っ掛け部を設けてもよい。また、突起状把持部３の形状として、指に挟む際に広げた指と指の間に形成されるＶ字型に合わせて、三角柱状とすることも可能である。【００１６】      ゴムひも等の伸縮性を持った輪状の挿入部４を、袋部２の開口部５の側面端に設けて、この挿入部４から手首を差し込んで突起状把持部３を指で挟むことにより、その相乗効果によって、手とタオルの固定化が可能となった。
【符号の説明】      １      伸長したタオル
２      袋部
３      突起状把持部
４      ゴムひも等の挿入部
５      袋部２の開口部
【図１】
0003190894.tif 000006
【図２】
0003190894.tif 000007
【図３】
0003190894.tif 000008
(57)【要約】      （修正有）【課題】配線に通し忘れても後からでも容易に取り付けることができ、配線後も着脱が自在に容易にできる着脱自在ツバ管を提供する。【解決手段】ツバ管のツバのある方を上としたとき、半円筒状ツバ管部１，２を二つ合わせて円筒としたようなツバ管において、片方の半円筒状ツバ管部１に切り欠き部３を設け、二つの半円筒状ツバ管部１，２の合わせ目４，５の一方に、二つの半円筒状ツバ管部１，２の下部に一体化部６を設ける。【選択図】図１
0003190897.tif 000002
【実用新案登録請求の範囲】
【請求項１】
ツバ管のツバのある方を上としたとき、半円筒状ツバ管部を二つ合わせて円筒としたようなツバ管において、片方の半円筒状ツバ管部に切り欠き部を設け、二つの半円筒状ツバ管部の合わせ目の一方に、二つの半円筒状ツバ管部の下部に設けた一体化部からなる着脱自在ツバ管。
【考案の詳細な説明】
【技術分野】
【０００１】  本考案は、配線工事用のツバ管に関するものである。
【背景技術】
【０００２】  従来、配線工事のとき、壁に穴を開けその穴にツバ管を差し込み配線を通し、もう一つの穴から配線の先端部が出たらすぐにツバ管を通し、必要な長さの配線を出したら壁の穴にツバ管に配線が通った状態で差し込み、壁貫通時の配線を保護するものであるが、ツバ管を配線に通し忘れると数メートルから数十メートル先の配線の先端部からツバ管を通し直さなければならず不便であった。
【考案の開示】
【考案が解決しようとする課題】
【０００３】  従来は次のような欠点があった。
従来のツバ管は配線に通し忘れると数メートルから数十メートル先の配線の先端部からツバ管を通し直さなければならず不便であった。
また、配線後は容易に着脱することができなかった。
本考案は、上記の欠点を除くためになされたものである。
【課題を解決するための手段】
【０００４】  ツバ管のツバのある方を上としたとき、半円筒状ツバ管部を二つ合わせて円筒としたようなツバ管において、片方の半円筒状ツバ管部に切り欠き部を設け、二つの半円筒状ツバ管部の合わせ目の一方に、二つの半円筒状ツバ管部の下部に設けた一体化部からなる。
本考案は、以上のような構成により問題点を解決している。
【考案の効果】
【０００５】  配線に通し忘れても後からでも容易に取り付けることができる。
配線後も着脱が自在に容易にできる。
【考案を実施するための最良の形態】
【０００６】  以下、本考案の実施例について説明する。
半円筒状ツバ管部１に切り欠き部３を設ける。
半円筒状ツバ管部１に切り欠き部３を設けた側と半円筒状ツバ管部２の合わせ目には合わせ目４が設けられる。
半円筒状ツバ管部１と半円筒状ツバ管部２の合わせ目５において、半円筒状ツバ管部１と半円筒状ツバ管部２に下部に設けた一体化部６を設ける。
半円筒状ツバ管部１と半円筒状ツバ管部２は半円筒状である。
切り欠き部３は配線７を入れやすくするためのものである。
合わせ目４は半円筒状ツバ管部１の切り欠き部３が設けられている側と半円筒状ツバ管部２との合わせ目である。
合わせ目５は半円筒状ツバ管部１と半円筒状ツバ管部２に下部に設けた一体化部６が設けられている側の合わせ目である。
下部に設けた一体化部６は半円筒状ツバ管部１と半円筒状ツバ管部２の合わせ目５において下部で一体化している部分である。
実施例では合わせ目４と合わせ目５の内径側の合わせ目のカドが角になっているが、着脱時に配線７を傷つけにくいように丸くしても良い。
実施例では合わせ目４と合わせ目５は直線となっているが、波線にしてより合わせ目がずれにくくなるようにしても良い。
形状、位置、素材をいろいろにすることにより、多種多様にすることができる。
【図面の簡単な説明】
【０００７】
【図１】本考案の斜視図である。
【図２】本考案の斜視図である。
【図３】本考案をひねった状態の斜視図である。
【図４】本考案をひねった状態で配線を入れた斜視図である。
【図５】本考案のひねった状態を戻して配線に取り付けた斜視図である。各図の各部において主要部以外は省略している。各図の各部において波線以外の部分は省略している。
【符号の説明】
【０００８】  １    半円筒状ツバ管部
２    半円筒状ツバ管部
３    切り欠き部
４    合わせ目
５    合わせ目
６    下部に設けた一体化部
７    配線
【図１】
0003190897.tif 000003
【図２】
0003190897.tif 000004
【図３】
0003190897.tif 000005
【図４】
0003190897.tif 000006
【図５】
0003190897.tif 000007
(57)【要約】      （修正有）【課題】靴を履く際に、靴べらが常に用意できている状態を実現すると共に、靴に装着しているインソールを靴から引き抜きやすくできる靴べらを提供する。【解決手段】インソール６への貼り付け部分１と靴べら機能部分２とで構成される。接着テープ等７を用いてインソール後部に貼り付け、靴の中に装着する。【選択図】図２
0003190898.tif 000002
【実用新案登録請求の範囲】
【請求項１】
インソールへの貼り付け部分（１）と靴べら機能部分（２）で構成される、接着テープ等（７）を用いてインソール後部に貼り付けるタイプの靴べら。
【考案の詳細な説明】
【技術分野】
【０００１】  この考案は、インソールに貼り付けるタイプの靴べらである。
【背景技術】
【０００２】  従来、インソールに貼り付けるタイプの靴べらは無かった。
靴べら部分を有するインソールはあったが、靴べら部分とインソール部分が一体であるため、使用者は好みのインソールと好みの靴べらを組み合わせることはできなかった。
【先行技術文献】
【特許文献】
【考案の概要】
【考案が解決しようとする課題】
【０００３】  靴べらがあると、靴はとても履き易い。特にお年寄りの方においては、靴べらを使用すると靴が履き易くなる。しかし、靴べらが用意されている場所は少ない。そして携帯型の靴べらは持ち忘れ易い。そこで、靴べらが常にある状態にしたいと考えた。
そして更にもう一点。靴に装着したインソールには摘まみ部分がなく、靴から引き抜きにくい。このため靴に装着していたインソールの乾燥時などにインソールを引き抜く際、少々不便である。そこで、靴からインソールを容易に引き抜けるようにしたいと考えた。
本案は、これら２つの課題を靴べらの改良にて同時に解決しようとするものである。また本案は、組み合わせたいインソールを自由に選ぶことができ、選んだインソールでの環境において靴べらが常にある状態にするものである。
【課題を解決するための手段】
【０００４】  本案は、インソールに貼り付けるタイプの靴べらである。インソールへの貼り付け部分（１）を貼り付け先のインソール（６）の後部へ貼りつけ、靴の中に装着する。靴べら機能部分の先端側（８）を靴の履き口から少し外へ出る様にし、それを摘まみ部分とする。
摘まみ部分となる靴べら機能部分の先端側（８）を上に引くと、貼り付け先のインソール（６）と共に靴べら機能部分（２）が上に引きあがる。靴を履く際は、このようにして靴べら機能部分（２）を靴から引き出し、靴べら機能部分（２）に踵をあてて滑らせて履けば良い。また貼り付け先のインソール（６）を靴から引き抜く際は、本案の摘まみ部分である靴べら機能部分の先端側（８）を掴んで、より上に引っ張れば容易に引き抜ける。
【考案の効果】
【０００５】  本案の靴べらをインソールの後部へ貼りつけて靴の中に装着することで、その靴は常に靴べらがある状態となる。これにより、靴がとても履き易くなる。そして、靴に装着していたインソールを引き抜きたい場合にも、とても引き抜き易い。また、本案の靴べらはインソールへの後付けとなるため、好みのインソールと組み合わせることができる。
【図面の簡単な説明】
【０００６】
【図１】本案の構造を示した斜視図である。
【図２】インソールへ貼り付けて靴内部へ装着した本案を示した断面図である。
【考案を実施するための形態】
【０００７】  形態はいろいろ考えられる。例として、素材にＥＶＡウレタンを用いた形態が考えられる。そして摩擦などに対する耐久性を得る為、表面と裏面の素材にはポリエステルなどを用いる例が考えられる。成型された本案のインソールへの貼り付けには、接着テープ等（７）を用いる。本案の長さについては、使用先の靴に合わせたいくつかのパターンが考えられる。これは靴の種類によって踵のつく靴内部の底位置から靴の履き口までの距離が違い、靴べらとして機能する部分の必要な長さは異なるためである。また、本案の幅や厚みも、使用者の好みを考慮した幾つかのパターンが考えられる。
本案を貼り付け先のインソール（６）の後部へ貼り付け、靴内部の後部に靴べら機能部分（２）が存在する状態にする。靴の履き口側から少し外に出るようにした靴べら機能部分の先端側（８）を少し上に摘まみ上げると、貼り付け先のインソール（６）の後部と共に靴べら機能部分（２）は上に引きあがり、靴べら機能部分（２）は靴の履き口の外に出てくる。外に少し出てきた靴べら機能部分（２）を靴べらとして使用し、足を靴の中へ入れる。足を靴の中へ入れた後は、靴べら機能部分（２）は貼り付け先のインソール（６）と共に、踵によって下に押されて靴内部の後部へ収まる。
【符号の説明】
【０００８】    １  インソールへの貼り付け部分
２  靴べら機能部分
３  靴
４  靴底
５  靴の中の空間
６  貼り付け先のインソール
７  接着テープ等
８  靴べら機能部分の先端側
９  インソールへの貼り付け部分の先端側
【図１】
0003190898.tif 000003
【図２】
0003190898.tif 000004
(57)【要約】      （修正有）【課題】内容量を一目で外から判別出来る灯油ポリ容器を提供する。【解決手段】灯油ポリ容器の一部を透明（内容量が見えるような色または素材）にすることにより容器内の容量が可視化され、その部分１に目盛２をつけることで、的確に内容量を判別出来る。また、それを四隅に配置３することでどの方向からでも確認、判別出来るようになる。【選択図】図１
0003190892.tif 000002
【実用新案登録請求の範囲】
【請求項１】
灯油ポリ容器に入れた液体の内容量を外から見て確認できるよう、灯油ポリ容器の一部分を透明もしくは内容量が可視できる色またはそれに該当する素材にした灯油ポリ容器。
【請求項２】
灯油ポリ容器に入れた液体の内容量を外から見て確認できるよう、灯油ポリ容器の一部分を透明もしくは内容量が可視できる色またはそれに該当する素材にし、それを四隅に配置した灯油ポリ容器。
【請求項３】
灯油ポリ容器に入れた液体の内容量を外から見て確認できるよう、灯油ポリ容器の一部分を透明もしくは内容量が可視できる色またはそれに該当する素材にし、それに目盛りをつけた灯油ポリ容器。
【考案の詳細な説明】
【技術分野】
【０００１】    本考案は、内容量が外から見て容易に確認できる箇所を設けた灯油ポリ容器である。
【背景技術】
【０００２】    灯油ポリ容器は全体を赤もしくは透けにくい色で着色されているため、外観から液体の内容量を目視することが容易ではなかった。
【考案の概要】
【考案が解決しようとする課題】
【０００３】従来の灯油ポリ容器は、全体がおもに赤色で覆われており、外見から容量を把握しにくいものであったため、残量の確認をする場合は、灯油ポリ容器を持ち上げて重さを判別しなくてはならない。その操作の際に灯油が入って重量のある本体を持ち上げるため、使用者に身体的な負担が掛かり、特にご老人や身体の不自由な者には不便を強いるものだった。また、灯油ポンプを設置したタンクや、蓋を外している際には、内容量の確認作業の際に灯油がはねてしまい、使用者の手などを汚すこともあった。
【課題を解決するための手段】
【０００４】本考案は、この欠点を除くためになされたもので、これを図について説明すれば、灯油ポリ容器（▲４▼）の一部を透明もしくは内容量が透けて見える色または素材にし（▲１▼）、その色または素材を変えた箇所に縦に目盛りをつけ（▲２▼）、四隅に配置する（▲３▼）。
【考案の効果】
【０００５】このようにすると、従来までの灯油ポリ容器は本体が全体に赤または色で覆われているため内容量が容易に確認できなかったが、本考案の灯油ポリ容器（▲４▼）においては一部分が透けて見えることにより（▲１▼）内容量を確認することができる。また▲１▼には縦に目盛りがつけられているため（▲２▼）利用者が内容量を具体的に判別することができ、灯油の消費する量とそれにかかる期間を確認できるため、灯油が空になる時期の予想や、灯油使用量の調整（節約）などの対策をすることができる。また、四隅に▲１▼を配置することで（▲３▼）灯油ポリ容器（▲４▼）の設置場所や方向を選ぶことなく内容量を確認することができる。
【図面の簡単な説明】
【０００６】
【図１】本考案の内容量表示窓付き灯油ポリ容器の一実例を示す図である。
【符号の説明】
【０００７】▲１▼  灯油ポリ容器の透明部分
▲２▼  透明部分の目盛
▲３▼  透明部分を四隅に配置した状態
▲４▼  灯油ポリ容器全体
【図１】
0003190892.tif 000003
(57)【要約】      （修正有）【課題】食べ物の上を飛び回るハエをそのまま捕らえることができ、また、力加減をあまり気にせずハエやゴキブリを潰さずに捕らえることができるようにしたハエたたきを提供する。【解決手段】支持枠部３の表裏四隅に嵌合用突起部及びハエ・ゴキブリ潰れ防止部２を設け、それに突起部嵌合用穴を四隅に設けた粘着剤塗布捕獲部１を嵌め合わせることとした。ハエたたきの四隅に突起部２を設ければ、ハエやゴキブリを叩いても潰さずに捕らえることができる。ハエたたきの支持枠部３の表裏の四隅に突起部２を設けることにより、両面を使用することができ、より便利になる。【選択図】図１
0003190900.tif 000002
【実用新案登録請求の範囲】
【請求項１】
支持枠部（３）の表裏四隅に嵌合用突起部及びハエ・ゴキブリ潰れ防止部（２）を設け、それに突起部嵌合用穴（４）を四隅に設けた粘着剤塗布捕獲部（１）を嵌め合わせたことを特徴とする飛んでるハエも捕らえるハエたたき。
【請求項２】
支持枠部（３）、その表裏四隅にハエ・ゴキブリ潰れ防止用突起部（２）、粘着剤塗布捕獲部（１）を一体成型したことを特徴とする飛んでるハエも捕らえるハエたたき。
【考案の詳細な説明】
【技術分野】
【０００１】  この考案は、従来のハエたたきは食べ物に近づくハエを追い払うだけで捕らえることができない、ハエはしつっこくやってきて目が離せない、また、テーブル、壁、窓ガラスなどに止まったハエを叩くと、力加減によっては潰れてしまって汚く不潔である、これはゴキブリを叩く場合にも言えることで、これらを解決するハエたたきの捕獲部に粘着剤を塗布あるいは吹きつけて粘着性を持たせ、ハエやゴキブリの潰れ防止部を設けた飛んでるハエも捕らえるハエたたきに関するものである。
【背景技術】
【０００２】  従来、ハエたたきと言えば、捕獲部に突起物がなく、格子状あるいは網状になっている一般に市販されているハエたたきしか思い浮かばない。
これでは、食べ物に近づくハエを追い払うことしかできず、ハエやゴキブリを上手く叩けても力加減によって潰してしまうことがままある。これらを解決する新しいハエたたきが要望される。
【考案の概要】
【考案が解決しようとする課題】
【０００３】  これは次のような欠点があった。
従来のハエたたきでは、食べ物に近づくハエを追い払うだけで捕らえることができない
また、テーブル、壁、窓ガラスなどに止まったハエを叩くと、力加減によっては潰れてしまって汚く不潔である。これは、ゴキブリを叩く場合にも言えることである。
食べ物の上を飛び回るハエを空中で捕らえられないか？ハエやゴキブリを潰さずに捕らえられないか？
本考案は、以上のような欠点を無くすためになされたものである。
【課題を解決するための手段】
【０００４】  ハエたたきの格子状あるいは網状になった捕獲部（１）に粘着剤を塗布あるいは吹きつけて粘着性を付ければ、空中を飛び回るハエをそのまま捕らえることができる。
この捕獲部（１）は叩く時の空気抵抗をできるだけ少なくし、素早くハエやゴキブリを捕らえられるよう格子状あるいは網状の密度を考慮すれば良い。
ハエたたきの四隅に突起部（２）を設ければ、ハエやゴキブリを叩いても潰さずに捕らえることができる。ハエたたきの支持枠部（３）の表裏の四隅に突起部（２）を設けることにより、両面を使用することができ、より便利になる。
捕獲部（１）を何枚か付け替え用を用意したものとするか、支持枠部（３）と一体成型し、粘着剤を塗布したものを提供して、汚れたら洗って汚れを落とし、別に用意された粘着剤を塗布あるいは吹きつければ何度でも使用することができるものとするか。
いずれの方法も考えられる。
本考案は、以上の構成よりなる飛んでるハエも捕らえるハエたたきである。
【考案の効果】
【０００５】  従来のハエたたきは、食べ物に近づくハエを追い払うだけで捕らえることができないが、本考案は空中を飛び回るハエをそのまま捕らえることができる。
また、テーブル、壁、窓ガラスなどに止まったハエを叩くと、力加減によっては潰れてしまって汚く不潔である。これはゴキブリを叩く場合にも言えることで、本考案は力加減をあまり気にせずハエやゴキブリを潰さずに捕らえることができる。
【考案を実施するための形態】
【０００６】  以下、本考案を実施するための形態について説明する。
支持枠部（３）の表裏四隅に嵌合用突起部及びハエ・ゴキブリ潰れ防止部（２）を設け、それに突起部嵌合用穴（４）を四隅に設けた粘着剤塗布捕獲部（１）を嵌め合わせたもので構成される。
【図面の簡単な説明】
【０００７】
【図１】本考案の全体斜視図である。
【図２】本考案の粘着剤塗布捕獲部の正面図である。
【符号の説明】
【０００８】１    粘着剤塗布捕獲部
２    嵌合用突起部及びハエ・ゴキブリ潰れ防止部
３    支持枠部
４    突起部嵌合用穴
【図１】
0003190900.tif 000003
【図２】
0003190900.tif 000004
(57)【要約】      （修正有）【課題】木造建築物の壁面構造に使用される耐力壁パネルに関し、高度な技術や経験を要することなく、施工現場で正確な取り付け作業が容易にできる耐力壁パネルを提供する。【解決手段】方形枠状の木製フレーム１と、内枠２と、合板製面材３とからなり、木製フレーム１に四辺が接合された合板製面材３でなる複数枚のパネル分割体と、これらパネル分割体を左右方向に並べた状態で隣接する辺部同士を、内枠２を介して井桁状に釘止めして連結した構造とで構成されている。【選択図】図１
0003190899.tif 000002
【実用新案登録請求の範囲】
【請求項１】
木造建築物の壁面構造に使用される耐力壁パネルであって、方形枠状の木製フレームと、内枠と、合板製面材とからなり、該木製フレームに四辺が接合された合板製面材でなる複数枚のパネル分割体と、これらパネル分割体を左右方向に並べた状態で隣接する辺部同士を、内枠を介して井桁状に釘止めして連結した構造とで構成されていることを特徴とする耐力壁パネル。
【考案の詳細な説明】
【技術分野】
【０００１】  本考案は、木造建築物の壁面構造に使用される壁パネルに関する。
【背景技術】
【０００２】  従来より、建物の壁面構造を向上させるために様々な提案がなされている。耐震強化を目的とした耐力壁パネルの取り付けもその一つで、補強工事等としても一般に広く実施されている。【０００３】住宅の壁構造を支持可能な耐力壁パネルではあるが、地震等で大きな外力がかかった際には効果的にエネルギを吸収し、住宅全体の損壊を防止する効果も期待されている。
【考案の開示】
【考案が解決しようとする課題】
【０００４】  しかしながら、耐力壁パネルの取り付けには施工基準を満たすための高度な技術や経験を要するため、技術の低い者や未経験者が施工した際、本来有する性能を発揮できない不具合が生じるなどの問題点を有していた。【０００５】本考案は、上記従来有する問題点に鑑み、木造建築物の壁面構造に使用される壁パネルに関し、高度な技術や経験を要することなく、施工現場に於いて正確な取り付け作業が容易にできる壁パネルを提供しようとするものである。【０００６】詳しくは、木造建築物の壁面構造に使用される耐力壁パネルに関し、連結構造を有した耐力壁パネルを提供しようとするものである。
【課題を解決するための手段】
【０００７】  本考案の耐力壁パネルは、木造建築物の壁面構造に使用される耐力壁パネルであって、方形枠状の木製フレーム１と、内枠２と、合板製面材３とからなり、該木製フレーム１に四辺が接合された合板製面材３でなる複数枚のパネル分割体と、これらパネル分割体を左右方向に並べた状態で隣接する辺部同士を、内枠２を介して井桁状に釘止めして連結した構造とで構成されていることを特徴とした。
【考案の効果】
【０００８】  本考案によれば、施工現場に於いて正確な取り付け作業が容易であり、かつ、地震等で大きな外力がかかった際には、フレームの局部変形や連結部の破断等により効果的にエネルギを吸収し、住宅全体の損壊を防止する効果も期待できる。
【考案を実施するための最良の形態】
【０００９】  以下、本考案の実施の形態について、図面を参照して説明する。
図１・図２・図３に示すように、本考案の耐力壁パネルは、木造建築物の壁面構造に使用される耐力壁パネルであって、方形枠状の木製フレーム１と、内枠２と、合板製面材３とからなり、該木製フレーム１に四辺が接合された合板製面材３でなる複数枚のパネル分割体と、これらパネル分割体を左右方向に並べた状態で隣接する辺部同士を、内枠２を介して井桁状に釘止めして連結した構造とで構成されていることを特徴として、木造建築物の軸組に固定して壁面構造に用いられる。
【図面の簡単な説明】
【００１０】
【図１】本考案に於ける壁パネルの分解図である。
【図２】本考案に於ける壁パネルの背面図である。
【図３】図２のＡ−Ｂ矢視断面図である。
【符号の説明】
【００１１】１    木製フレーム
２    内枠
３    合板製面材
４    釘
【図１】
0003190899.tif 000003
【図２】
0003190899.tif 000004
【図３】
0003190899.tif 000005